(57)【要約】  本発明は、ＯＦＤＭ方式に基づく受信装置の受信特性を改善する。受信装置は、ＯＦＤＭ方式に基づく受信信号のフーリエ変換窓開始および終了タイミングを、フーリエ変換窓内の信号電力対干渉電力比および信号電力に基づいて決定する窓タイミング選択手段と、前記窓タイミング選択手段から出力される前記フーリエ変換窓開始および終了タイミングに従って前記受信信号をフーリエ変換するフーリエ変換手段と、を有する。
2016133044.tif 000002
【特許請求の範囲】
【請求項１】
ＯＦＤＭ方式に基づく受信信号のフーリエ変換窓開始および終了タイミングを、フーリエ変換窓内の信号電力対干渉電力比および信号電力に基づいて決定する窓タイミング選択手段と、
前記窓タイミング選択手段から出力される前記フーリエ変換窓開始および終了タイミングに従って前記受信信号をフーリエ変換するフーリエ変換手段と、
を有することを特徴とする受信装置。
【請求項２】
前記窓タイミング選択手段は、前記フーリエ変換窓内の前記信号電力が予め定められた閾値より大きい前記フーリエ変換窓開始および終了タイミングのうち、前記信号電力対干渉電力比が最大になるタイミングを選択する請求項１の受信装置。
【請求項３】
前記窓タイミング選択手段は、前記フーリエ変換窓内の前記信号電力対干渉電力比が予め定められた閾値より大きい前記フーリエ変換窓開始および終了タイミングのうち、前記信号電力が最大になるタイミングを選択する請求項１の受信装置。
【請求項４】
前記窓タイミング選択手段は、前記フーリエ変換窓開始および終了タイミング候補の選択条件として、フーリエ変換窓長がＯＦＤＭシンボル長以上となるフーリエ変換窓開始および終了タイミングを選択する請求項２または３の受信装置。
【請求項５】
さらに、前記受信信号の遅延プロファイルを参照して１つ以上の所望シンボル末尾を前記フーリエ変換窓終了タイミングの候補として決定する窓終了タイミング候補決定手段を有し、
前記窓タイミング選択手段は、前記窓終了タイミング候補決定手段から出力される１つ以上の前記窓終了タイミング候補の中から窓終了タイミングを選択する請求項１から４いずれか一の受信装置。
【請求項６】
さらに、前記受信信号の受信信号電力対干渉および雑音電力を推定する受信品質推定手段と、
前記受信品質推定手段から出力される前記受信信号電力対干渉および雑音電力に応じて前記閾値を可変する適応閾値決定手段と、
を有する請求項２から５いずれか一の受信装置。
【請求項７】
さらに、前記受信信号に対応するＭＣＳ  ｉｎｄｅｘに応じて前記閾値を可変する適応閾値決定手段を有する請求項２から５いずれか一の受信装置。
【請求項８】
ＯＦＤＭ方式に基づく受信信号のフーリエ変換窓開始および終了タイミングを、フーリエ変換窓内の信号電力対干渉電力比および信号電力に基づいて決定する窓タイミング選択ステップと、
前記窓タイミング選択手段から出力される前記フーリエ変換窓開始および終了タイミングに従って前記受信信号をフーリエ変換するフーリエ変換ステップと、
を含む受信方法。
【請求項９】
前記窓タイミング選択ステップにおいて、前記フーリエ変換窓内の前記信号電力が予め定められた閾値より大きい前記フーリエ変換窓開始および終了タイミングのうち、前記信号電力対干渉電力比が最大になるタイミングを選択する請求項８の受信方法。
【請求項１０】
前記窓タイミング選択ステップにおいて、前記フーリエ変換窓開始および終了タイミング候補の選択条件として、フーリエ変換窓長がＯＦＤＭシンボル長以上となるフーリエ変換窓開始および終了タイミングを選択する請求項８又は９の受信方法。
【発明の詳細な説明】
【技術分野】
【０００１】
（関連出願についての記載）
本発明は、日本国特許出願：特願２０１５−０３１２３１号（２０１５年２月２０日出願）の優先権主張に基づくものであり、同出願の全記載内容は引用をもって本書に組み込み記載されているものとする。
本発明は、受信装置、受信方法に関し、特に、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）に代表されるデジタル変調方式を用いて符号化された信号の受信装置、受信方法に関する。
【背景技術】
【０００２】
近年、各種無線通信システムに直交周波数分割多重方式（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が採用されている。このＯＦＤＭは複数搬送波を用いた並列伝送により、シンボル長を長くできるため、周波数選択性を有するマルチパス通信路においても簡易な受信機構成にて受信信号を等化できる。一般にＯＦＤＭでは、マルチパス通信路に対応するためにＯＦＤＭシンボル間にサイクリックプレフィックス（ＣＰ：Ｃｙｃｌｉｃ  Ｐｒｅｆｉｘ）を設ける。通常、ＣＰ長はマルチパス通信路の遅延広がりを考慮して設計されるが、遅延広がりがＣＰ長を超過した場合、所望ＯＦＤＭシンボルに対して時間方向の前後のＯＦＤＭシンボルが干渉するＯＦＤＭシンボル間干渉（ＩＳＩ：Ｉｎｔｅｒ  Ｓｙｍｂｏｌ  Ｉｎｔｅｒｆｅｒｅｎｃｅ）および周波数方向のサブキャリアが干渉するサブキャリア間干渉（ＩＣＩ：Ｉｎｔｅｒ  Ｃａｒｒｉｅｒ  Ｉｎｔｅｒｆｅｒｅｎｃｅ）が発生して受信特性が劣化する。ＩＳＩは、受信側の高速フーリエ変換（ＦＦＴ：Ｆａｓｔ  Ｆｏｕｒｉｅｒ  Ｔｒａｎｓｆｏｒｍ）を行うＯＦＤＭシンボルの前後に配置されたＯＦＤＭシンボルがＣＰ長を越えてＦＦＴ窓に漏れ込むことにより生じる干渉である。一方、ＩＣＩは、遅延広がりがＣＰ長を越えることにより通信路行列が非巡回行列になり、ＦＦＴにて通信路行列が対角化されないことにより生じるサブキャリア間の干渉である。【０００３】
上記問題を解決するための技術として、特許文献１および２にて開示されている受信装置が知られている。特許文献１および２では、ＣＰ長に相当するガード区間（ＧＩ：ガードインターバル）を超える遅延広がりが存在する環境下において、受信側のＦＦＴ窓内の信号電力対干渉電力比（ＳＩＲ：Ｓｉｇｎａｌ  ｔｏ  Ｉｎｔｅｒｆｅｒｅｎｃｅ  ｐｏｗｅｒ  Ｒａｔｉｏ）が最大になるタイミングをＦＦＴ窓開始タイミングとする例が開示されている。【０００４】
図１２は、特許文献１にて開示されている受信装置のシンボル同期タイミング検出処理を説明するためにＦＦＴ窓タイミング決定に関連する構成要素を詳細化したブロック図である。図１２には、窓開始タイミング候補決定部１００１と、ＦＦＴ窓内信号電力計算部１００２と、ＦＦＴ窓内干渉電力計算部１００３と、ＦＦＴ窓内ＳＩＲ計算部１００４と、最大ＳＩＲタイミング検出部１００５とを備えた構成が開示されている。【０００５】
窓開始タイミング候補決定部１００１では、送受信装置間における通信路の遅延プロファイルを参照して各ＯＦＤＭシンボルの先頭又はＣＰ末尾を窓開始タイミング候補としてＦＦＴ窓内信号電力計算部１００２およびＦＦＴ窓内干渉電力計算部１００３へ出力する。【０００６】
ＦＦＴ窓内信号電力計算部１００２は、窓開始タイミング候補の各タイミング候補において、遅延プロファイルを参照してＦＦＴ窓内の信号電力を計算し、計算した信号電力をＦＦＴ窓内ＳＩＲ計算部１００４へ出力する。【０００７】
ＦＦＴ窓内干渉電力計算部１００３は、窓開始タイミング候補の各タイミング候補において、遅延プロファイルを参照してＦＦＴ窓内の干渉電力を計算し、計算した干渉電力をＦＦＴ窓内ＳＩＲ計算部１００４へ出力する。【０００８】
ＦＦＴ窓内ＳＩＲ計算部１００４は、窓開始タイミング候補毎にＦＦＴ窓内信号電力およびＦＦＴ窓内干渉電力を参照してＦＦＴ窓内のＳＩＲを計算し、計算したＳＩＲを最大ＳＩＲタイミング検出部１００５へ出力する。【０００９】
最大ＳＩＲタイミング検出部１００５は、窓開始タイミング候補の中からＦＦＴ窓内のＳＩＲが最大になる窓開始タイミングを選択して出力する。【００１０】
図１３に遅延プロファイルとＦＦＴ窓開始タイミング候補の関係を示した模式図を示す。図１３のａ）通常ＯＦＤＭのＦＦＴ窓開始タイミングは、先頭パスのＣＰ末尾をＦＦＴ窓開始タイミングとしている。これに対し、ｂ）特許文献１のＦＦＴ窓開始タイミングは各パスのＯＦＤＭシンボル先頭およびＣＰ末尾をＦＦＴ窓開始タイミング候補とし、窓開始タイミング候補の中から窓開始タイミングを選択する。なお、ＦＦＴ窓長はＯＦＤＭ伝送の送信側処理である逆フーリエ変換（ＩＦＦＴ：Ｉｎｖｅｒｓｅ  Ｆａｓｔ  Ｆｏｕｒｉｅｒ  Ｔｒａｎｓｆｏｒｍ）長と同じため、窓終了タイミングは窓開始タイミングに送信ＩＦＦＴ長分の時間を加算することにより決定される。【００１１】
以上に説明したように特許文献１に開示されている受信装置のＦＦＴ窓開始タイミング決定方法は、ＦＦＴ窓内のＳＩＲが最大になるようにＦＦＴ窓開始タイミングを決定することにより、受信特性を改善させている。【００１２】
同様の問題を解決するための技術として、非特許文献１にて開示されている受信装置が知られている。非特許文献１では、ＣＰ長に相当するカード区間を越える遅延広がりが存在する環境下において、マルチパス通過後の受信ＯＦＤＭシンボルの全てをカバーする窓開始および終了タイミングにより受信信号をフーリエ変換する例が開示されている。【００１３】
図１４は、非特許文献１にて開示されている受信装置のフーリエ変換窓タイミング決定に係る構成を説明するために簡略化したブロック図である。図１４の非特許文献１にて開示されている受信装置は、窓開始タイミング決定部１１０１と、窓終了タイミング決定部１１０２とを備えている。【００１４】
窓開始タイミング決定部１１０１は、遅延プロファイルを参照して先頭パスをフーリエ変換窓開始タイミングとして出力する。【００１５】
窓終了タイミング決定部１１０２は、遅延プロファイルを参照して最終パスのＯＦＤＭシンボル末尾をフーリエ変換窓終了タイミングとして出力する。【００１６】
図１５に非特許文献１のフーリエ変換窓開始・終了タイミングを説明するための模式図を示す。図１５のａ）は通常ＯＦＤＭのＦＦＴ窓開始タイミング、ｂ）は非特許文献１のフーリエ変換窓開始・終了タイミングを表している。ｂ）非特許文献１は、マルチパス通過後の全てのＯＦＤＭシンボルをカバーするようにフーリエ変換窓開始・終了タイミングを決定する。これにより、所望ＯＦＤＭシンボルの信号電力を最大限に回収できる。一方、非特許文献１では、フーリエ変換窓長拡大に伴ってフーリエ変換窓内の干渉成分が増大するが、干渉キャンセラにより受信信号から干渉成分を除去している。
【先行技術文献】
【特許文献】
【００１７】
【特許文献１】特開２００５−１６８０００号公報
【特許文献２】特開２０１０−１０３７１６号公報
【非特許文献】
【００１８】
【非特許文献１】Ｓ．Ｓｕｙａｍａ，Ｈ．Ｓｕｚｕｋｉ，Ｋ．Ｆｕｋａｗａ，“Ａ  ＭＩＭＯ−ＯＦＤＭ  Ｒｅｃｅｉｖｅｒ  Ｅｍｐｌｏｙｉｎｇ  ｔｈｅ  Ｌｏｗ−Ｃｏｍｐｌｅｘｉｔｙ  Ｔｕｒｂｏ  Ｅｑｕａｌｉｚａｔｉｏｎ  ｉｎ  Ｍｕｌｔｉｐａｔｈ  Ｅｎｖｉｒｏｎｍｅｎｔｓ  ｗｉｔｈ  Ｄｅｌａｙ  Ｄｉｆｆｅｒｅｎｃｅ  Ｇｒｅａｔｅｒ  ｔｈａｎ  ｔｈｅ  Ｇｕａｒｄ  Ｉｎｔｅｒｖａｌ，”ＩＥＩＣＥ  Ｔｒａｎｓ．  Ｃｏｍｍｕｎ．，ｖｏｌ．Ｅ８８−Ｂ，ｎｏ．１，Ｊａｎ．２００５．
【発明の概要】
【発明が解決しようとする課題】
【００１９】
以下の分析は、本発明によって与えられたものである。特許文献１に開示された技術では、受信側のＦＦＴ窓が送信ＩＦＦＴ長であり、ＦＦＴ窓から漏れる信号電力を十分に回収できなかった。また、非特許文献１に開示された技術では所望とするＯＦＤＭシンボルの全てをカバーするようにフーリエ変換するため、信号電力は最大化できる。しかしながら、干渉キャンセラにおいて干渉電力を完全に除去できないため、残留干渉電力の影響により十分な特性改善効果が得られなかった。【００２０】
本発明は、ＯＦＤＭ方式の受信信号の受信特性の向上に貢献できる受信装置及び受信方法を提供することを目的とする。
【課題を解決するための手段】
【００２１】
第１の視点によれば、ＯＦＤＭ方式に基づく受信信号のフーリエ変換窓開始および終了タイミングを、フーリエ変換窓内の信号電力対干渉電力比および信号電力に基づいて決定する窓タイミング選択手段を有する受信装置が提供される。この受信装置は、さらに、前記窓タイミング選択手段から出力される前記フーリエ変換窓開始および終了タイミングに従って前記受信信号をフーリエ変換するフーリエ変換手段を有する。【００２２】
第２の視点によれば、ＯＦＤＭ方式に基づく受信信号のフーリエ変換窓開始および終了タイミングを、フーリエ変換窓内の信号電力対干渉電力比および信号電力に基づいて決定する窓タイミング選択ステップと、前記窓タイミング選択手段から出力される前記フーリエ変換窓開始および終了タイミングに従って前記受信信号をフーリエ変換するフーリエ変換ステップと、を含む受信方法が提供される。なお、本方法は、ＯＦＤＭ方式に基づく受信信号を受信する受信装置という、特定の機械に結びつけられている。
【発明の効果】
【００２３】
本発明によれば、ＯＦＤＭ方式の受信信号の受信特性の向上に貢献することが可能となる。また、本発明は、背景技術に示した受信装置を、ＯＦＤＭ方式の受信信号の受信特性を向上する受信装置へと変換するものともなっている。
【図面の簡単な説明】
【００２４】
【図１】本発明の第１の実施形態に係る受信装置の構成例を示すブロック図である。
【図２】図１に示すフーリエ変換窓タイミング決定部の構成例を示すブロック図である。
【図３】本発明の第１の実施形態に係るフーリエ変換窓タイミング決定部の処理例を示すフローチャートである。
【図４】本発明の第１の実施形態に係るフーリエ変換窓開始および終了タイミング候補を説明するための模式図である。
【図５】本発明の第１の実施形態と従来技術の差分を説明するための模式図である。
【図６】本発明の第１の実施形態に係るフーリエ変換窓開始および終了タイミングの決定結果例を示す模式図である。
【図７】本発明の第２の実施形態に係る受信装置の構成例を示すブロック図である。
【図８】図７に示すフーリエ変換窓タイミング決定部の構成例を示すブロック図である。
【図９】本発明の第２の実施形態に係る閾値のオフセット値設定例を示す模式図である。
【図１０】本発明の第３の実施形態に係るフーリエ変換窓タイミング決定部の構成例を示すブロック図である。
【図１１】本発明の第３の実施形態に係る閾値のオフセット値設定例を示す模式図である。
【図１２】特許文献１に開示されたフーリエ変換窓タイミング決定部を簡略化した構成例を示すブロック図である。
【図１３】通常ＯＦＤＭおよび特許文献１に開示されたＦＦＴ窓開始タイミング候補を示す模式図である。
【図１４】非特許文献１に開示されたフーリエ変換窓タイミング決定部を簡略化した構成例を示すブロック図である。
【図１５】通常ＯＦＤＭのＦＦＴ窓開始タイミングおよび非特許文献１に開示されたフーリエ変換窓開始および終了タイミング候補を示す模式図である。
【図１６】本発明の一実施形態の構成を示す図である。
【発明を実施するための形態】
【００２５】
はじめに本発明の一実施形態の概要について図面を参照して説明する。なお、この概要に付記した図面参照符号は、理解を助けるための一例として各要素に便宜上付記したものであり、本発明を図示の態様に限定することを意図するものではない。
【００２６】
本発明は、その一実施形態において、図１６に示すように、窓タイミング選択手段１０３ａと、フーリエ変換手段１０４ａと、を有する受信装置にて実現できる。
【００２７】
より具体的には、前記窓タイミング選択手段１０３ａは、フーリエ変換窓内の信号電力対干渉電力比および信号電力に基づいて、ＯＦＤＭ方式に基づく受信信号のフーリエ変換窓開始および終了タイミングを決定する。そして、フーリエ変換手段１０４ａは、前記窓タイミング選択手段にて決定されたフーリエ変換窓開始および終了タイミングに従って前記受信信号をフーリエ変換する。
【００２８】
以上のように、本実施形態の受信装置は、フーリエ変換窓内の信号電力対干渉電力比および信号電力に基づいてフーリエ変換窓開始および終了タイミングを決定する。このため、特許文献１との対比においても、フーリエ変換窓から漏れる信号電力を回収できるようになる。また、上記方法は、干渉キャンセラにおける残留干渉電力の影響を抑制するものともなっている。結果として、特許文献１、非特許文献１の方法と比較して、受信特性を向上させることが可能となる。
【００２９】
［第１の実施形態］
図１は、本発明の第１の実施形態に係る受信装置を説明するための構成図である。本発明の第１の実施形態は、マルチパス通信路の遅延広がりがＣＰ長を超過する環境下において、干渉キャンセラにて除去されない残留干渉電力の影響を抑制しつつ、信号電力を増大するようにフーリエ変換窓の開始および終了タイミングを決定して復調を行う。第１の実施形態は、伝送方式にＯＦＤＭを用いた場合を例に挙げて説明する。図１に示す第１の実施形態は、干渉除去部１０１と、遅延プロファイル測定部１０２と、フーリエ変換窓タイミング決定部１０３と、離散フーリエ変換部１０４と、チャネル等化部１０５と、干渉レプリカ生成部１０６とを備えて構成される。
【００３０】
干渉除去部１０１は、送信装置から到来する１つ以上のパスから構成される通信路を通過した受信信号を入力し、干渉レプリカ生成部１０６から干渉レプリカを入力する。干渉除去部１０１は、受信信号から干渉レプリカに基づいて干渉成分を除去して遅延プロファイル測定部１０２および離散フーリエ変換部１０４へ出力する。なお、初回等化時は干渉レプリカの値をゼロに設定しても良い。
【００３１】
遅延プロファイル測定部１０２は、干渉除去部１０１から干渉除去された受信信号を入力して、送受信装置間における通信路の遅延プロファイルを測定する。遅延プロファイルは例えば、干渉除去された受信信号をＦＦＴ処理し、ＦＦＴ処理された受信信号とリファレンス信号レプリカとの相関処理を行った後、ＩＦＦＴ処理することにより求めることができる。遅延プロファイル測定部１０２は、測定した遅延プロファイルをフーリエ変換窓タイミング決定部１０３へ出力する。
【００３２】
フーリエ変換窓タイミング決定部１０３は、遅延プロファイル測定部１０２から遅延プロファイルを入力する。フーリエ変換窓タイミング決定部１０３は、遅延プロファイルを参照してフーリエ変換窓の開始および終了タイミングを決定して離散フーリエ変換部１０４へ出力する。
【００３３】
離散フーリエ変換部１０４は、フーリエ変換窓タイミング決定部１０３からフーリエ変換窓開始および終了タイミングを入力し、干渉除去部１０１から干渉除去後の受信信号を入力する。離散フーリエ変換部１０４は、前記入力されたフーリエ変換窓開始および終了タイミングに従って干渉除去後の受信信号を離散フーリエ変換処理してチャネル等化部１０５へ出力する。離散フーリエ変換部１０４におけるフーリエ変換処理は、例えば時間方向の積分範囲を任意長としたＤＦＴ（Ｄｉｓｃｒｅｔｅ  Ｆｏｕｒｉｅｒ  Ｔｒａｎｓｆｏｒｍ）を用いることができる。
【００３４】
チャネル等化部１０５は、離散フーリエ変換部１０４からフーリエ変換した受信信号を入力する。チャネル等化部１０５は、受信信号を通信路のフェージングを補償するチャネル等化処理を行って復調信号を出力する。チャネル等化した復調信号は干渉レプリカ生成部１０６へ出力する。なお、チャネル等化部１０５には誤り訂正復号処理を含んでも良い。
【００３５】
干渉レプリカ生成部１０６は、チャネル等化部１０５から復調信号を入力する。干渉レプリカ生成部１０６は、復調信号に基づいて干渉レプリカを生成して干渉除去部１０１へ出力する。干渉レプリカはＩＳＩレプリカおよびＩＣＩレプリカのいずれかあるいは両方であっても良い。
【００３６】
図２に、図１のフーリエ変換窓タイミング決定部１０３の詳細構成図を示す。フーリエ変換窓タイミング決定部１０３は、窓開始タイミング候補決定部２０１と、窓終了タイミング候補決定部２０２と、信号電力計算部２０３と、干渉電力計算部２０４と、ＳＩＲ計算部２０５と、窓タイミング選択部２０６とを備えて構成される。
【００３７】
窓開始タイミング候補決定部２０１は、遅延プロファイル測定部１０２から遅延プロファイルを入力する。窓開始タイミング候補決定部２０１は、例えば窓開始タイミング番号ｌｓ＝０，１，２，．．．，Ｌ−１（Ｌは通信路のパス数であり、１以上の整数）のタイミングを窓開始タイミング候補ｔ（ｌｓ）として信号電力計算部２０３および干渉電力計算部２０４へ出力する。
【００３８】
窓終了タイミング候補決定部２０２は、窓開始タイミング候補決定部２０１から各パスの先頭タイミングを入力する。窓終了タイミング候補決定部２０２は、例えば窓終了タイミング番号ｌｅ＝０，１，２，．．．，Ｌ−１のＯＦＤＭシンボル末尾を窓終了タイミング候補ｔ（ｌｅ）として信号電力計算部２０３および干渉電力計算部２０４へ出力する。ここで、各パスのＯＦＤＭシンボル末尾は、各パスタイミングにＣＰ長および送信ＩＦＦＴ長を加算することにより求めることができる。窓開始および終了タイミング候補を絞り込むことにより、全てのサンプルをタイミング候補とする場合と比べて、窓タイミング決定に必要な演算量を削減できる。
【００３９】
信号電力計算部２０３は、遅延プロファイル測定部１０２から遅延プロファイルを入力し、窓開始タイミング候補決定部２０１から窓開始タイミング候補ｔ（ｌｓ）を入力し、窓終了タイミング候補決定部２０２から窓終了タイミング候補ｔ（ｌｅ）を入力する。信号電力計算部２０３は、窓開始および終了タイミング候補区間内の信号電力Ｓ（ｌｓ，ｌｅ）を計算してＳＩＲ計算部２０５および窓タイミング選択部２０６へ出力する。ここで、信号電力は、例えば各パスとＯＦＤＭシンボルレプリカとの畳み込み乗算結果から求めることができる。
【００４０】
干渉電力計算部２０４は、遅延プロファイル測定部１０２から遅延プロファイルを入力し、窓開始タイミング候補決定部２０１から窓開始タイミング候補ｔ（ｌｓ）を入力し、窓終了タイミング候補決定部２０２から窓終了タイミング候補ｔ（ｌｅ）を入力する。干渉電力計算部２０４は、窓開始および終了タイミング候補区間内の干渉電力Ｉ（ｌｓ，ｌｅ）を計算してＳＩＲ計算部２０５および窓タイミング選択部２０６へ出力する。ここで、干渉電力は、例えばサンプル毎の信号電力の最大値とサンプル毎の信号電力の差に基づいて求めることができる。また、干渉電力は遅延プロファイルの代わりに信号電力計算部２０３からサンプル毎の信号電力を入力して計算しても良い。
【００４１】
ＳＩＲ計算部２０５は、信号電力計算部２０３から窓開始および終了タイミング候補毎の信号電力Ｓ（ｌｓ，ｌｅ）を入力し、干渉電力計算部２０４から窓開始および終了タイミング候補毎の干渉電力Ｉ（ｌｓ，ｌｅ）を入力する。ＳＩＲ計算部２０５は、窓開始および終了タイミング候補毎における信号電力対干渉電力比ＳＩＲ（ｌｓ，ｌｅ）を計算して窓タイミング選択部２０６へ出力する。
【００４２】
窓タイミング選択部２０６は、信号電力計算部２０３から窓開始および終了タイミング候補毎の信号電力Ｓ（ｌｓ，ｌｅ）を入力し、ＳＩＲ計算部２０５から窓開始および終了タイミング候補毎の信号電力対干渉電力比ＳＩＲ（ｌｓ，ｌｅ）を入力し、予め定められた閾値γと比較する。窓タイミング選択部２０６は、信号電力対干渉電力比ＳＩＲ（ｌｓ，ｌｅ）が閾値γより大きい窓開始および終了タイミング候補のうち、信号電力Ｓ（ｌｓ，ｌｅ）が最大になる候補を窓開始および終了タイミングとして離散フーリエ変換部１０４へ出力する。ここで、窓開始タイミング候補ｔ（ｌｓ）、窓終了タイミング候補ｔ（ｌｅ）における信号電力、信号電力対干渉電力比をそれぞれＳ（ｌｓ，ｌｅ） 、ＳＩＲ（ｌｓ，ｌｅ）とし、閾値をλとすると、選択される窓開始タイミング番号ｌｓおよび窓終了タイミング番号ｌｅは数式（１）で表される。
【００４３】
【数１】
2016133044.tif 000003
【００４４】
また、窓タイミング選択部２０６は、信号電力が予め定められた閾値γより大きい窓開始および終了タイミング候補のうち、信号電力対干渉電力比ＳＩＲ（ｌｓ，ｌｅ）が最大になる候補を窓開始および終了タイミングとして離散フーリエ変換部１０４へ出力しても良い。選択される窓開始タイミング番号ｌｓおよび窓終了タイミング番号ｌｅは数式（２）で表される。
【００４５】
【数２】
2016133044.tif 000004
【００４６】
ここで、信号電力Ｓ（ｌｓ，ｌｅ）は相対値ではなく絶対値のため、受信環境により大きく変動する。このため、数式（２）の閾値γはマルチパスチャネル通過後の全ての所望ＯＦＤＭシンボルを包含する窓開始および終了タイミングの信号電力Ｓ（０，Ｌ−１）を参考に決定しても良い。また、フーリエ変換窓長がＯＦＤＭシンボル長より小さくなる窓開始および終了タイミング候補を選択候補から除外するために窓長が送信ＩＦＦＴ長（ＬＩＦＦＴ）＋ＣＰ長（ＬＣＰ）以上となる制約条件を付加しても良い。全ての所望ＯＦＤＭシンボルの信号電力を考慮した信号電力の比およびＯＦＤＭシンボル長の制約条件を加えた窓開始タイミング番号ｌｓおよび窓終了タイミング番号ｌeは数式（３）で表される。
【００４７】
【数３】
2016133044.tif 000005
【００４８】
なお、フーリエ変換窓長のＯＦＤＭシンボル長による制約条件は数式（３）と同様に数式（１）に適用しても良い。
【００４９】
図３は、図２記載のフーリエ変換窓タイミング決定部１０３の動作例を示したフローチャートである。図３のフローチャートはステップＡ０１からＡ０６により構成される。
【００５０】
まず、窓開始タイミング候補決定部２０１は、遅延プロファイルを参照して窓開始タイミング候補を決定する（ステップＡ０１）。
【００５１】
次に、窓終了タイミング候補決定部２０２は、遅延プロファイルを参照して窓終了タイミング候補を決定する（ステップＡ０２）。
【００５２】
信号電力計算部２０３は、窓開始および終了タイミング候補毎に信号電力を計算する（ステップＡ０３）。
【００５３】
干渉電力計算部２０４は、窓開始および終了タイミング候補毎に干渉電力を計算する（ステップＡ０４）。
【００５４】
次に、ＳＩＲ計算部２０５は、窓開始および終了タイミング候補毎に信号電力対干渉電力比を計算する（ステップＡ０５）。
【００５５】
次に、窓タイミング選択部２０６は、窓開始および終了タイミング候補毎にフーリエ変換窓内の信号電力対干渉電力比が閾値γより大きい候補のうち、信号電力が最大になる候補を窓開始および終了タイミングとして選択する。このとき、窓タイミング選択部２０６は、窓開始および終了タイミング候補毎にフーリエ変換窓内の信号電力が閾値γより大きい候補のうち、信号電力対干渉電力比が最大になる候補を窓開始および終了タイミングとして選択しても良い（ステップＡ０６）。
【００５６】
図４は、第１の実施形態のフーリエ変換窓開始および終了タイミング候補を説明するための模式図である。図４は、各パスタイミングに相当するＬ個のフーリエ変換窓開始タイミング候補の中から窓開始タイミング番号ｌｓ＝１、各パスのＯＦＤＭシンボル末尾タイミングに相当するＬ個のフーリエ変換窓終了タイミング候補の中から窓終了タイミング番号ｌｅ＝１を選択する例を示している。第１の実施形態ではＬの自乗個の窓開始および終了タイミング候補の中から窓開始および終了タイミングを決定する。
【００５７】
図５は、第１の実施形態、通常ＯＦＤＭ受信、特許文献１および非特許文献１の窓タイミング決定規範およびフーリエ変換長の差分を示している。窓タイミング決定規範において、通常ＯＦＤＭ受信は先頭パスタイミング、特許文献１はＳＩＲ最大化および非特許文献１は信号電力最大化を規範としているのに対し、第１の実施形態は例１）ＳＩＲ制約下における信号電力最大化、又は、例２）信号電力制約下におけるＳＩＲ最大化を規範としている。また、フーリエ変換長において、通常ＯＦＤＭ受信および特許文献１は送信ＩＦＦＴ長固定、非特許文献１は遅延広がり＋ＣＰ長＋送信ＩＦＦＴ長で決定されるのに対し、第１の実施形態は各パスの相対電力とタイミングに応じて決定される。
【００５８】
図６は、遅延プロファイルの相対電力をＰ１＞ＰＬ−１＞Ｐ０としたときの第１の実施形態、通常ＯＦＤＭ受信、特許文献１および非特許文献１の窓タイミング決定結果のイメージを示している。通常ＯＦＤＭ受信の窓開始タイミングは先頭パスであるＰ０パスのＣＰ末尾とし、窓終了タイミングはＰ０パスのＯＦＤＭシンボル末尾となる。特許文献１の窓開始タイミングはＰ１パスのＣＰ末尾とし、窓終了タイミングはＰ１パスのＯＦＤＭシンボル末尾となる。非特許文献１の窓開始タイミングはＰ０パスとし、窓終了タイミングは最終パスであるＰＬ−１パスのＯＦＤＭシンボル末尾となる。これらに対し、第１の実施形態の窓開始タイミングはＰ１パスとし、窓終了タイミングはＰ１パスのＯＦＤＭシンボル末尾となる例を示している。
【００５９】
以上説明したように、第１の実施形態によれば、通信路の遅延広がりがＣＰ長を超過する環境下において干渉キャンセラにて除去されない残留干渉電力の影響を抑制しつつ、回収する信号電力を増大させることにより、受信特性を改善できる。
【００６０】
［第２の実施形態］
続いて、本発明の第２の実施形態について説明する。第２の実施形態は第１の実施形態の変形例であり、受信パケットの受信信号電力対干渉および雑音電力（ＳＩＮＲ：Ｓｉｇｎａｌ  ｔｏ  Ｉｎｔｅｒｆｅｒｅｎｃｅ  ｐｌｕｓ  Ｎｏｉｓｅ  Ｐｏｗｅｒ  Ｒａｔｉｏ）に応じて閾値γを可変する形態である。図７に第２の実施形態の受信装置の構成図を示す。第１の実施形態との差分は、受信ＳＩＮＲ推定部３０１が追加になり、フーリエ変換窓タイミング決定部３０２の入力が追加された点である。その他の構成は第１の実施形態と同様である。以降では第１の実施形態との差分を説明する。
【００６１】
受信ＳＩＮＲ推定部３０１は、干渉除去部１０１から干渉除去後の受信信号を入力する。受信ＳＩＮＲ推定部３０１は、受信信号の受信ＳＩＮＲを推定し、推定した受信ＳＩＮＲをフーリエ変換窓タイミング決定部３０２へ出力する。受信ＳＩＮＲは例えば等化ウェイト乗算後のリファレンス信号とリファレンス信号レプリカの誤差から推定することができる。
【００６２】
フーリエ変換窓タイミング決定部３０２は、受信ＳＩＮＲ推定部３０１から推定した受信ＳＩＮＲを入力し、遅延プロファイル測定部１０２から遅延プロファイルを入力する。フーリエ変換窓タイミング決定部３０２は、推定した受信ＳＩＮＲと遅延プロファイルに基づいてフーリエ変換窓タイミングを決定して離散フーリエ変換部１０４へ出力する。
【００６３】
図８に、第２の実施形態のフーリエ変換窓タイミング決定部３０２（図７参照）の詳細構成を示す。第２の実施形態のフーリエ変換窓タイミング決定部３０２は第１の実施形態のフーリエ変換窓タイミング決定部１０３の変形例であり、第１の実施形態のフーリエ変換窓タイミング決定部１０３の構成要素に加えて、適応閾値決定部３１１が追加された構成である。以降では、第１の実施形態のフーリエ変換窓タイミング決定部１０３との差分を説明する。
【００６４】
適応閾値決定部３１１は、受信ＳＩＮＲ推定部３０１から推定した受信ＳＩＮＲを入力する。適応閾値決定部３１１は、推定した受信ＳＩＮＲに応じて適応閾値γａｄａｐｔを決定し、窓タイミング選択部２０２へ出力する。ここで、閾値γのオフセットをαとすると、適応閾値γａｄａｐｔは数式（４）で表される。
【００６５】
【数４】
2016133044.tif 000006
【００６６】
窓タイミング選択部２０２は、適応閾値決定部３１１から適応閾値γａａｄａｐｔを入力し、信号電力計算部２０３から窓開始および終了タイミング候補毎の信号電力を入力し、ＳＩＲ計算部２０５から窓開始および終了タイミング候補毎の信号電力対干渉電力比を入力する。窓タイミング選択部２０２は、信号電力対干渉電力比が適応閾値γａｄａｐｔより大きくなる窓開始および終了タイミング候補の中から、信号電力が最大になる候補をフーリエ変換窓開始および終了タイミングとして出力する。このとき、窓タイミング選択部２０２は、信号電力が適応閾値γａｄａｐｔより大きくなる窓開始および終了タイミング候補の中から、信号電力対干渉電力比が最大になる候補をフーリエ変換窓開始および終了タイミングとして出力しても良い。
【００６７】
図９は予め定められた受信ＳＩＮＲの境界判定値をＡ０、Ａ１、Ａ２、Ａｎとし、Ａ０＜Ａ１＜Ａ２＜Ａｎの関係が成立する場合におけるオフセットαの決定テーブル例を示している。決定テーブルのオフセット設定値をα０、α１、α２、αｎとし、窓タイミング選択規範がＳＩＲ制約下における信号電力最大化の場合にα０＜α１＜α２＜αｎとなる値を設定する。これにより、受信ＳＩＮＲが小さいパケット受信時は適応閾値γａｄａｐｔに、γａｄａｐｔとして取りうる値のうち、より小さい値が設定され、窓タイミング決定における信号電力対干渉電力比の制約は緩和される。また、受信ＳＩＮＲが大きいパケット受信時は適応閾値γａｄａｐｔに、γａｄａｐｔとして取りうる値のうち、より大きい値が設定され、窓タイミング決定における信号電力対干渉電力比の制約は厳しくなる。
【００６８】
一方、窓タイミング選択規範が信号電力制約下におけるＳＩＲ最大化の場合にα０＞α１＞α２＞αｎとなる値を設定する。これにより、受信ＳＩＮＲが小さいパケット受信時は適応閾値γａｄａｐｔに、γａｄａｐｔとして取りうる値のうち、より大きい値が設定され、窓タイミング決定における信号電力の制約は厳しくなる。また、受信ＳＩＮＲが大きいパケット受信時は適応閾値γａｄａｐｔに、γａｄａｐｔとして取りうる値のうち、より小さい値が設定され、窓タイミング決定における信号電力の制約は緩和される。
【００６９】
以上説明したように第２の実施形態では、窓タイミング選択規範がＳＩＲ制約下における信号電力最大化の場合に低ＳＩＮＲパケット受信時は信号電力対干渉電力比制約が緩和されて信号電力回収作用が優先され、高ＳＩＮＲパケット受信時は信号電力対干渉電力比制約が強化されて残留干渉の抑制作用が優先されることにより、受信特性を改善できる。また、窓タイミング選択規範が信号電力制約下におけるＳＩＲ最大化の場合に低ＳＩＮＲパケット受信時は信号電力制約が強化されて信号電力回収作用が優先され、高ＳＩＮＲパケット受信時は信号電力制約が緩和されて残留干渉の抑制作用が優先されることにより、受信特性を改善できる。
【００７０】
［第３の実施形態］
続いて、本発明の第３の実施形態について説明する。第３の実施形態は第２の実施形態の変形例であり、受信パケットのＭＣＳ  ｉｎｄｅｘ（Ｍｏｄｕｌａｔｉｏｎ  ａｎｄ  Ｃｏｄｉｎｇ  Ｓｃｈｅｍｅ  ｉｎｄｅｘ）に応じて閾値γを可変する形態である。図１０に第３の実施形態のフーリエ変換窓タイミング決定部４０２の構成を示す。第３の実施形態のフーリエ変換窓タイミング決定部４０２は第２の実施形態のフーリエ変換窓タイミング決定部３０２の変形例であり、適応閾値決定部４１１の入力情報として受信ＳＩＮＲの代わりにＭＣＳ  ｉｎｄｅｘが参照される例である。以降では、第２の実施形態の適応閾値決定部３１１に対する第３の実施形態の適応閾値決定部４１１の差分を説明する。
【００７１】
適応閾値決定部４１１は、ＭＣＳ  ｉｎｄｅｘを入力する。ＭＣＳ  ｉｎｄｅｘは例えば自装置内の無線リソーススケジューラまたは制御チャネルを介して受信パケットと共に通知される。適応閾値決定部４１１は、ＭＣＳ  ｉｎｄｅｘに応じて適応閾値γａｄａｐｔを決定し、窓タイミング選択部２０２へ出力する。適応閾値γａｄａｐｔは第２の実施形態と同様に数式（４）で表される。
【００７２】
図１１はＭＣＳ  ｉｎｄｅｘに対するオフセットαの決定テーブル例を示している。決定テーブルのオフセット設定値をα０、α１、α２、αｎとし、窓タイミング選択規範がＳＩＲ制約下における信号電力最大化の場合にα０＜α１＜α２＜αｎとなる値を設定する。これにより、ＭＣＳ  ｉｎｄｅｘが小さいパケット受信時は適応閾値γａｄａｐｔに、γａｄａｐｔとして取りうる値のうち、より小さい値が設定され、窓タイミング決定における信号電力対干渉電力比の制約は緩和される。また、ＭＣＳ  ｉｎｄｅｘが大きいパケット受信時は適応閾値γａｄａｐｔに、γａｄａｐｔとして取りうる値のうち、より大きい値が設定され、窓タイミング決定における信号電力対干渉電力比の制約は厳しくなる。
【００７３】
一方、窓タイミング選択規範が信号電力制約下におけるＳＩＲ最大化の場合にα０＞α１＞α２＞αｎとなる値を設定する。これにより、ＭＣＳ  ｉｎｄｅｘが小さいパケット受信時は適応閾値γａｄａｐｔに、γａｄａｐｔとして取りうる値のうち、より大きい値が設定され、窓タイミング決定における信号電力の制約は厳しくなる。また、ＭＣＳ  ｉｎｄｅｘが大きいパケット受信時は適応閾値γａｄａｐｔに、γａｄａｐｔとして取りうる値のうち、より小さい値が設定され、窓タイミング決定における信号電力の制約は緩和される。
【００７４】
以上説明したように第３の実施形態では、窓タイミング選択規範がＳＩＲ制約下における信号電力最大化の場合に低ＭＣＳ  ｉｎｄｅｘパケット受信時は信号電力対干渉電力比制約が緩和されて信号電力回収作用が優先され、高ＭＣＳ  ｉｎｄｅｘパケット受信時は信号電力対干渉電力比制約が強化されて残留干渉の抑制作用が優先されることにより、受信特性を改善できる。また、窓タイミング選択規範が信号電力制約下におけるＳＩＲ最大化の場合に低ＭＣＳ  ｉｎｄｅｘパケット受信時は信号電力制約が強化されて信号電力回収作用が優先され、高ＭＣＳ  ｉｎｄｅｘパケット受信時は信号電力制約が緩和されて残留干渉の抑制作用が優先されることにより、受信特性を改善できる。
【００７５】
なお、上記第２、３の実施形態では、受信ＳＩＮＲおよびＭＣＳ  ｉｎｄｅｘに応じて適応閾値を可変する例を示したが、その他の例として干渉キャンセラの繰り返し数を用いて適応閾値を変更しても良い。
【００７６】
以上、本発明の各実施形態を説明したが、本発明は、上記した実施形態に限定されるものではなく、本発明の基本的技術的思想を逸脱しない範囲で、更なる変形・置換・調整を加えることができる。例えば、各図面に示したネットワーク構成、各要素の構成、メッセージの表現形態は、本発明の理解を助けるための一例であり、これらの図面に示した構成に限定されるものではない。
【００７７】
例えば、上記した実施形態では、伝送方式にＯＦＤＭを用いた例を挙げて説明したが、ＯＦＣＤＭ（Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ）等その他の伝送方式に適用することも可能である。
【００７８】
最後に、本発明の好ましい形態を要約する。
［第１の形態］
（上記第１の視点による受信装置参照）
［第２の形態］
第１の形態の受信装置において、
前記窓タイミング選択手段は、前記フーリエ変換窓内の前記信号電力が予め定められた閾値より大きい前記フーリエ変換窓開始および終了タイミングのうち、前記信号電力対干渉電力比が最大になるタイミングを選択する受信装置。
［第３の形態］
第１の形態の受信装置において、
前記窓タイミング選択手段は、前記フーリエ変換窓内の前記信号電力対干渉電力比が予め定められた閾値より大きい前記フーリエ変換窓開始および終了タイミングのうち、前記信号電力が最大になるタイミングを選択する受信装置。
［第４の形態］
第２又は第３の形態の受信装置において、
前記窓タイミング選択手段は、前記フーリエ変換窓開始および終了タイミング候補の選択条件として、フーリエ変換窓長がＯＦＤＭシンボル長以上となるフーリエ変換窓開始および終了タイミングを選択する受信装置。
［第５の形態］
第１から第４いずれか一の形態の受信装置において、
さらに、前記受信信号の遅延プロファイルを参照して１つ以上の所望シンボル末尾を前記フーリエ変換窓終了タイミングの候補として決定する窓終了タイミング候補決定手段を有し、
前記窓タイミング選択手段は、前記窓終了タイミング候補決定手段から出力される１つ以上の前記窓終了タイミング候補の中から窓終了タイミングを選択する受信装置。
［第６の形態］
第２から第５いずれか一の形態の受信装置において、
さらに、前記受信信号の受信信号電力対干渉および雑音電力を推定する受信品質推定手段と、
前記受信品質推定手段から出力される前記受信信号電力対干渉および雑音電力に応じて前記閾値を可変する適応閾値決定手段と、
を有する受信装置。
［第７の形態］
第２から第５いずれか一の形態の受信装置において、
さらに、前記受信信号に対応するＭＣＳ  ｉｎｄｅｘに応じて前記閾値を可変する適応閾値決定手段を有する受信装置。
［第８の形態］
（上記第２の視点による受信方法参照）
なお、上記第８の形態は、第１の形態と同様に、第２〜第７の形態に展開することが可能である。
【００７９】
なお、上記の特許文献および非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の開示の枠内において種々の開示要素（各請求項の各要素、各実施形態ないし実施例の各要素、各図面の各要素等を含む）の多様な組み合わせ、ないし選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【産業上の利用可能性】
【００８０】
本発明は、ＯＦＤＭベースの伝送方式向けの受信装置、方法であれば好適に適用可能である。
【符号の説明】
【００８１】
１０１  干渉除去部
１０２  遅延プロファイル測定部
１０３  フーリエ変換窓タイミング決定部
１０３ａ  窓タイミング選択手段
１０４  離散フーリエ変換部
１０４ａ  フーリエ変換手段
１０５  チャネル等化部
１０６  干渉レプリカ生成部
２０１  窓開始タイミング候補決定部
２０２  窓終了タイミング候補決定部
２０３  信号電力計算部
２０４  干渉電力計算部
２０５  ＳＩＲ計算部
２０６  窓タイミング選択部
３０１  受信ＳＩＮＲ推定部
３０２  フーリエ変換窓タイミング決定部
３１１  適応閾値決定部
４０２  フーリエ変換窓タイミング決定部
４１１  適応閾値決定部
１００１  窓開始タイミング候補決定部
１００２  ＦＦＴ窓内信号電力計算部
１００３  ＦＦＴ窓内干渉電力計算部
１００４  ＦＦＴ窓内ＳＩＲ計算部
１００５  最大ＳＩＲタイミング検出部
１１０１  窓開始タイミング決定部
１１０２  窓終了タイミング決定部
【図１】
2016133044.tif 000007
【図２】
2016133044.tif 000008
【図３】
2016133044.tif 000009
【図４】
2016133044.tif 000010
【図５】
2016133044.tif 000011
【図６】
2016133044.tif 000012
【図７】
2016133044.tif 000013
【図８】
2016133044.tif 000014
【図９】
2016133044.tif 000015
【図１０】
2016133044.tif 000016
【図１１】
2016133044.tif 000017
【図１２】
2016133044.tif 000018
【図１３】
2016133044.tif 000019
【図１４】
2016133044.tif 000020
【図１５】
2016133044.tif 000021
【図１６】
2016133044.tif 000022
【手続補正書】
【提出日】平成29年8月16日(2017.8.16)
【手続補正１】
【補正対象書類名】特許請求の範囲
【補正対象項目名】請求項８
【補正方法】変更
【補正の内容】
【請求項８】
ＯＦＤＭ方式に基づく受信信号のフーリエ変換窓開始および終了タイミングを、フーリエ変換窓内の信号電力対干渉電力比および信号電力に基づいて決定する窓タイミング選択ステップと、
前記窓タイミング選択ステップにおいて出力される前記フーリエ変換窓開始および終了タイミングに従って前記受信信号をフーリエ変換するフーリエ変換ステップと、
を含む受信方法。
【手続補正２】
【補正対象書類名】明細書
【補正対象項目名】００２２
【補正方法】変更
【補正の内容】
【００２２】
第２の視点によれば、ＯＦＤＭ方式に基づく受信信号のフーリエ変換窓開始および終了タイミングを、フーリエ変換窓内の信号電力対干渉電力比および信号電力に基づいて決定する窓タイミング選択ステップと、前記窓タイミング選択ステップにおいて出力される前記フーリエ変換窓開始および終了タイミングに従って前記受信信号をフーリエ変換するフーリエ変換ステップと、を含む受信方法が提供される。なお、本方法は、ＯＦＤＭ方式に基づく受信信号を受信する受信装置という、特定の機械に結びつけられている。
【手続補正３】
【補正対象書類名】明細書
【補正対象項目名】００６４
【補正方法】変更
【補正の内容】
【００６４】
適応閾値決定部３１１は、受信ＳＩＮＲ推定部３０１から推定した受信ＳＩＮＲを入力する。適応閾値決定部３１１は、推定した受信ＳＩＮＲに応じて適応閾値γａｄａｐｔを決定し、窓タイミング選択部２０６へ出力する。ここで、閾値γのオフセットをαとすると、適応閾値γａｄａｐｔは数式（４）で表される。
【手続補正４】
【補正対象書類名】明細書
【補正対象項目名】００６６
【補正方法】変更
【補正の内容】
【００６６】
窓タイミング選択部２０６は、適応閾値決定部３１１から適応閾値γａｄａｐｔを入力し、信号電力計算部２０３から窓開始および終了タイミング候補毎の信号電力を入力し、ＳＩＲ計算部２０５から窓開始および終了タイミング候補毎の信号電力対干渉電力比を入力する。窓タイミング選択部２０６は、信号電力対干渉電力比が適応閾値γａｄａｐｔより大きくなる窓開始および終了タイミング候補の中から、信号電力が最大になる候補をフーリエ変換窓開始および終了タイミングとして出力する。このとき、窓タイミング選択部２０６は、信号電力が適応閾値γａｄａｐｔより大きくなる窓開始および終了タイミング候補の中から、信号電力対干渉電力比が最大になる候補をフーリエ変換窓開始および終了タイミングとして出力しても良い。
【手続補正５】
【補正対象書類名】明細書
【補正対象項目名】００７１
【補正方法】変更
【補正の内容】
【００７１】
適応閾値決定部４１１は、ＭＣＳ  ｉｎｄｅｘを入力する。ＭＣＳ  ｉｎｄｅｘは例えば自装置内の無線リソーススケジューラまたは制御チャネルを介して受信パケットと共に通知される。適応閾値決定部４１１は、ＭＣＳ  ｉｎｄｅｘに応じて適応閾値γａｄａｐｔを決定し、窓タイミング選択部２０６へ出力する。適応閾値γａｄａｐｔは第２の実施形態と同様に数式（４）で表される。
【手続補正６】
【補正対象書類名】図面
【補正対象項目名】図８
【補正方法】変更
【補正の内容】
【図８】
2016133044.tif 000023
【手続補正７】
【補正対象書類名】図面
【補正対象項目名】図１０
【補正方法】変更
【補正の内容】
【図１０】
2016133044.tif 000024
【国際調査報告】
2016133044.tif 000025
2016133044.tif 000026
2016133044.tif 000027
2016133044.tif 000028